(57)【特許請求の範囲】
【請求項１】
前壁（１０；１２０）、後壁（１２）、前記前壁（１０；１２０）と前記後壁（１２）とを接続する互いに対向する二つの側壁（１４）、上面（１８）を有する外側シェル（２；９２；１０２；１１２）と、
閉状態において前記外側シェル（２；９２；１０２；１１２）の前記上面（１８）を閉じるように構成された蓋（４；９４；１０４，１０５；１１４）であって、ヒンジ・ライン（２２）において前記外側シェル（２；９２；１０２；１１２）の前記後壁（１２）または一方の前記側壁（１４）に旋回可能に接続され、前記閉状態から開状態へと移行するために前記ヒンジ・ライン（２２）を中心に旋回可能である蓋（４；９４；１０４，１０５；１１４）と、
複数のタバコ関連物品を収容するように構成され、前記外側シェル（２；９２；１０２；１１２）内にシフト可能に取り付けられる内側シェル（６；９６；１０６，１０７；１１６）であって、退避位置から、喫煙物品へのアクセスを可能とする前進位置へ移動可能な内側シェル（６；９６；１０６，１０７；１１６）と、
前記前壁（１０；１２０）、前記後壁（１２）、前記二つの側壁（１４）、から選択される、前記外側シェル（２；９２；１０２；１１２）の少なくとも一つの壁に設けられ、前記内側シェル（６；９６；１０６，１０７；１１６）の一部を露出し、前記内側シェル（６；９６；１０６，１０７；１１６）を移動させる力を前記内側シェル（６；９６；１０６，１０７；１１６）に伝達可能とするように構成された切欠き（２０；９３；１０３；１２２）と、
前記内側シェル（６；９６；１０６，１０７；１１６）の一部分と前記蓋（４；９４；１０４，１０５；１１４）との間に設けられるコネクタ（５０；１１５）であって、前記ヒンジ・ライン（２２）からの距離が、前記ヒンジ・ライン（２２）に垂直の方向における前記蓋（４；９４；１０４，１０５；１１４）の寸法よりも短い位置で前記蓋（４；９４；１０４，１０５；１１４）と係合し、前記内側シェル（６；９６；１０６，１０７；１１６）を前記前進位置に移動させると、前記蓋（４；９４；１０４，１０５；１１４）を開状態まで押し、前記内側シェル（６；９６；１０６，１０７；１１６）を前記退避位置に移動させると、前記蓋（４；９４；１０４，１０５；１１４）を閉状態まで引くコネクタ（５０；１１５）と
を備え、
前記蓋（４；９４；１０４，１０５；１１４）は、上壁（２４）を備え、該上壁（２４）が、前端（２６）、後端（２８）、二つの側端（３０）、底面（３２）を有し、前記蓋（４；９４；１０４，１０５；１１４）が閉状態のときに前記外側シェル（２；９２；１０２；１１２）の前記上面（１８）を閉じるように構成され、前記ヒンジ・ライン（２２）が、前記上壁（２４）の前記後端（２８）または一方の前記側端（３０）に位置し、
前記内側シェル（６；９６；１０６，１０７；１１６）は、上端を有する後壁（４２）または側壁（４４）を備え、
前記コネクタ（５０；１１５）は、前記上端から延び、前記上端または前記上端の周辺領域に第一ヒンジ・ライン（５２）を有し、
前記コネクタ（５０；１１５）は、前記上壁（２４）の前記底面（３２）に第二ヒンジ・ライン（５４）を有し、
前記蓋（４；９４；１０４，１０５；１１４）の前記閉状態において、前記コネクタ（５０；１１５）の前記第一ヒンジ・ライン（５２）と前記蓋（４；９４；１０４，１０５；１１４）の前記ヒンジ・ライン（２２）との間の距離と、前記蓋（４；９４；１０４，１０５；１１４）の前記ヒンジ・ライン（２２）と前記コネクタ（５０；１１５）の前記第二ヒンジ・ライン（５４）との間の距離との比が、０．５〜１．０の範囲内、好ましくは、０．７０〜０．８５の範囲内、最も好ましくは、約０．７８である
タバコ関連物品用パッケージ。
【請求項２】
前記外側シェル（２；９２；１０２；１１２）は、底壁を備え、前記二つの側壁（１４）及び前記底壁（１６）によって、前記前壁（１０；１２０）と前記後壁（１２）とが接続される
ことを特徴とする請求項１に記載のパッケージ。
【請求項３】
前記内側シェル（６；９６；１０６，１０７；１１６）は、前記退避位置において、前記外側シェル（２；９２；１０２；１１２）の内部に収納される
ことを特徴とする請求項１又は請求項２に記載のパッケージ。
【請求項４】
前記コネクタ（５０；１１５）は、ヒンジ・コネクタである
ことを特徴とする請求項１から請求項３のいずれか一項に記載のパッケージ。
【請求項５】
前記コネクタ（５０；１１５）の前記第一ヒンジ・ライン（５２）と前記第二ヒンジ・ライン（５４）との間の距離が、前記蓋（４；９４；１０４，１０５；１１４）の前記ヒンジ・ライン（２２）と前記コネクタ（５０；１１５）の前記第二ヒンジ・ライン（５４）との間の距離より大きく、好ましくは、０．４ｍｍ〜１．８ｍｍの範囲で、最も好ましくは、約０．７ｍｍだけ大きい
ことを特徴とする請求項１から請求項４のいずれか一項に記載のパッケージ。
【請求項６】
斜角端壁（３４）が、前記蓋（４；９４；１０４，１０５；１１４）の前記ヒンジ・ライン（２２）とは反対側の、前記上壁（２４）の前記端（２６）から少なくとも延び、前記蓋（４；９４；１０４，１０５；１１４）が閉状態のとき、前記斜角端壁（３４）は、前記外側シェル（２；９２；１０２；１１２）内に嵌合する
ことを特徴とする請求項１から請求項５のいずれか一項に記載のパッケージ。
【請求項７】
前記斜角端壁（３４，３６）は、前記蓋（４；９４；１０４，１０５；１１４）の前記ヒンジ・ライン（２２）を備える前記端（２８）とは異なる、前記上壁（２４）のその他の端（３０）からも延びる
ことを特徴とする請求項６に記載のパッケージ。
【請求項８】
前記斜角端壁（３４，３６）は、前記蓋（４；９４；１０４，１０５；１１４）のブランクを備える前記外側シェル（２；９２；１０２；１１２）のブランク（６０；８４）から折り返され、前記斜角端壁（３４，３６）は、好ましくは、三角形、四角形、多角形または少なくとも一つの曲面を含む形状の中から選択される断面形状を有する
ことを特徴とする請求項６又は請求項７に記載のパッケージ。
【請求項９】
少なくとも前記上壁（２４）の、前記蓋（４；９４；１０４，１０５；１１４）の前記ヒンジ・ライン（２２）とは反対側の前記端から端壁が延び、前記端壁が前記蓋（４；９４；１０４，１０５；１１４）の前記上壁（２４）に対して略垂直に延び、前記蓋（４；９４；１０４，１０５；１１４）が閉状態のときに目に見える
ことを特徴とする請求項１から請求項５のいずれか一項に記載のパッケージ。
【請求項１０】
前記内側シェル（６；９６；１０６，１０７；１１６）は、前記内側シェル（６；９６；１０６，１０７；１１６）が前記前進位置にあるときの前記内側シェル（６；９６；１０６，１０７；１１６）の中身へのアクセスを容易にするフリーアクセス領域（４８）を提供する前壁（４０；１２８）を備える
ことを特徴とする請求項１から請求項９のいずれか一項に記載のパッケージ。
【請求項１１】
前記内側シェル（６；９６；１０６，１０７；１１６）が前記退避位置にあるとき、当該内側シェル（６；９６；１０６，１０７；１１６）の前記フリーアクセス領域（４８）は、前記外側シェル（２；９２；１０２；１１２）の前記切欠き（２０；９３；１０３；１２２）とは重ならない
ことを特徴とする請求項１０に記載のパッケージ。
【請求項１２】
前記内側シェル（６；９６；１０６，１０７；１１６）は、前壁（４０；１２８）、後壁（４２）、互いに対向する二つの側壁（４４）、前記前壁（４０；１２８）と前記後壁（４２）とを接続する底壁（４６）を備える
ことを特徴とする請求項１から請求項１１のいずれか一項に記載のパッケージ。
【請求項１３】
前記内側シェル（６；９６；１０６，１０７；１１６）の前記前壁（４０；１２８）は、好ましくは、二層または三層の厚紙からなる補強構造（４０，７６）を備える
ことを特徴とする請求項１０から請求項１２のいずれか一項に記載のパッケージ。
【請求項１４】
前記内側シェル（６；９６；１０６，１０７；１１６）に挿入される補強インサートを備える
ことを特徴とする請求項１から請求項１３のいずれか一項に記載のパッケージ。
【請求項１５】
前記補強インサートは、好ましくは、射出成形によって作られるプラスチック容器として形成される
ことを特徴とする請求項１４に記載のパッケージ。
【請求項１６】
前記内側シェルは、プラスチック容器として設計され、好ましくは、前記コネクタの少なくとも一部が、前記プラスチック容器の一部として形成される
ことを特徴とする請求項１から請求項１２のいずれか一項に記載のパッケージ。
【請求項１７】
前記外側シェル（２；９２；１０２；１１２）の前記切欠き（２０；９３；１０３；１２２）は、前記外側シェル（２；９２；１０２；１１２）の前記前壁（１０；１２０）に設けられる
ことを特徴とする請求項１から請求項１６のいずれか一項に記載のパッケージ。
【請求項１８】
前記外側シェルの前記切欠きは、前記外側シェル（２；９２；１０２；１１２）の前記前壁の端の領域に位置し、好ましくは、前記内側シェル（６；９６；１０６，１０７；１１６）は、前記内側シェル（６；９６；１０６，１０７；１１６）が前記退避位置にあるときに前記外側シェル（２；９２；１０２；１１２）の前記切欠き（２０；９３；１０３；１２２）に重ならないフリーアクセス領域（４８）を提供する前壁（４０；１２８）を備える
ことを特徴とする請求項１７に記載のパッケージ。
【請求項１９】
前記内側シェル（６；９６；１０６，１０７）を移動させる力を前記内側シェル（６；９６；１０６，１０７）に伝達できるように構成された前記切欠き（２０；９３；１０３）は、前記内側シェル（６；９６；１０６，１０７）を移動させる力を前記内側シェル（６；９６；１０６，１０７）に加えることを可能とするように構成される
ことを特徴とする請求項１から請求項１８のいずれか一項に記載のパッケージ。
【請求項２０】
前記切欠き（２０；９３；１０３）は、前記外側シェル（２；９２；１０２）のブランク（６０；８４）から形成され、前記切欠き領域（２０；９３；１０３）の前記ブランク材料の少なくとも一部分（６４）は、前記外側シェル（２；９２；１０２）の内面に折り返される
ことを特徴とする請求項１９に記載のパッケージ。
【請求項２１】
前記内側シェル（６；９６；１０６，１０７）は、前記外側シェル（２；９２；１０２）の前記切欠き（２０；９３；１０３）に対向する位置に、好ましくは、リレーフ構造、切欠き構造、高摩擦コーティング、およびゴム状コーティングのうち、少なくとも一つの構成を有するグリップ性向上面を備える
ことを特徴とする請求項１９又は請求項２０に記載のパッケージ。
【請求項２２】
前記内側シェル（１１６）に取り付けられ、前記切欠き（１２２）から突出する、前記内側シェル（１１６）を移動させるためのアクチュエータ（１３０）を備える
ことを特徴とする請求項１から請求項１８のいずれか一項に記載のパッケージ。
【請求項２３】
前記内側シェル（１１６）は、前記退避位置に係止可能で、前記係止は前記アクチュエータ（１３０）によって解除可能であり、任意で、前記内側シェル（１１６）は、ばね装置によって前記前進位置に付勢される
ことを特徴とする請求項２２に記載のパッケージ。
【請求項２４】
前記切欠き（１２２）は、前記内側シェル（１１６）の移動方向に対して平行に延びるスロット（１２４）と、前記スロット（１２４）の下端に設けられる幅広領域（１２６）とを備え、前記アクチュエータ（１３０）の一部分（１３２）は、前記切欠き（１２２）の前記幅広領域（１２６）内に係止可能で、アクチュエータ（１３０）を押すことによって解除可能である
ことを特徴とする請求項２３に記載のパッケージ。
【請求項２５】
前記外側シェルは、曲線状の縁を備え、好ましくは、前記前壁と両側壁との間の長手方向の縁は、それぞれ曲線状である
ことを特徴とする請求項１から請求項２４のいずれか一項に記載のパッケージ。
【請求項２６】
前記外側シェル（２）は、六角形または八角形の断面形状を有し、前記側壁または前記前壁（１０）が、前記パッケージ（８０）の長手軸に対して平行に延びる折り線（８３）に沿ってそれぞれ前記側壁の残りの部分または前記前壁（１０）の残りの部分から折り返されたサイドパネル（８２）を備える
ことを特徴とする請求項１から請求項２４のいずれか一項に記載のパッケージ。
【請求項２７】
前記外側シェル（２；９２；１０２；１１２）および／または前記内側シェル（６；９６；１０６，１０７；１１６）は、それぞれのブランク（６０，７０；８４，８６）から折り返される
ことを特徴とする請求項１から請求項２６のいずれか一項に記載のパッケージ。
【請求項２８】
前記外側シェル（２；９２；１０２；１１２）および／または前記内側シェル（６；９６；１０６，１０７；１１６）は、重量が１８０ｇ／ｍ2〜２９０ｇ／ｍ2の範囲内の厚紙で作られる、それぞれのブランク（６０，７０；８４，８６）から折り返される
ことを特徴とする請求項２７に記載のパッケージ。
【請求項２９】
前記パッケージは、厚紙、ラミネート加工された厚紙、コーティング加工された厚紙、重量が１８０ｇ／ｍ2〜２９０ｇ／ｍ2の範囲の厚紙、厚さが２５０μｍ〜５００μｍの範囲内の厚紙、剛性が５ｍＮ〜２５ｍＮの範囲の厚紙、厚さが５０μｍ〜２０００μｍの範囲の平坦な厚紙、プラスチック材料、金属、アルミニウムのうち少なくとも一つの材料を含む
ことを特徴とする請求項１から請求項２７のいずれか一項に記載のパッケージ。
【請求項３０】
前記コネクタ（５０；１１５）は、前記外側シェル（２；９２；１０２；１１２）のブランク（６０；８４）の一部分（６８）と前記内側シェル（６；９６；１０６，１０７；１１６）のブランク（７０；８６）の一部分（７８）とを折り返して両部分を互いに接着するか、前記外側シェルのブランクの一部分を折り返して前記内側シェルに接着するか、前記内側シェルのブランクの一部分を折り返して前記蓋に接着するか、前記内側シェルと前記蓋とに接続される金属部として設けるか、前記内側シェルと前記蓋とに接続されるワイヤとして設けるか、前記内側シェルと前記蓋とに接続されるプラスチック部として設けるか、のいずれかの方法で形成される
ことを特徴とする請求項１から請求項２９のいずれか一項に記載のパッケージ。
【請求項３１】
前記蓋（４）が前記閉状態から前記開状態へ、および／または、前記開状態から前記閉状態へ旋回するときに作動するように構成された音発生メカニズムを備え、前記音発生メカニズムは、好ましくは、蓋（４）に配置されて前記外側シェル（２）に配置される対応部分と相互作用するタブ、および／または、前記外側シェル（２）に配置されて前記蓋（４）に配置される対応部分と相互作用するタブを備える
ことを特徴とする請求項１から請求項３０のいずれか一項に記載のパッケージ。
【請求項３２】
並設される少なくとも二つの内側シェル（１０６，１０７）を備える
ことを特徴とする請求項１から請求項３１のいずれか一項に記載のパッケージ。
【請求項３３】
前記蓋（１０４，１０５）は、前記外側シェル（１０２）の前記後壁に旋回可能に接続される
ことを特徴とする請求項３２に記載のパッケージ。
【請求項３４】
前記蓋（１０４，１０５）は、前記外側シェル（１０２）の前記後壁に旋回可能に接続する少なくとも二つの、並設される別個の部分（１０４，１０５）によって形成され、前記蓋の前記別個の部分（１０４，１０５）は、それぞれ、前記内側シェル（１０６，１０７）の一方と対応している
ことを特徴とする請求項３３に記載のパッケージ。
【請求項３５】
前記外側シェル（１０２）の前記前壁は、前記内側シェル（１０６，１０７）のそれぞれの一部を露出させる少なくとも一つの切欠き（１０３）を備え、前記少なくとも一つの切欠き（１０３）は、前記内側シェル（１０６，１０７）を移動させる力を前記内側シェル（１０６，１０７）それぞれに伝達または加え、コネクタまたはヒンジ・コネクタを介して前記蓋（１０４，１０５）の各部分を作動可能とするように構成されている
ことを特徴とする請求項３４に記載のパッケージ。
【請求項３６】
前記パッケージ（１；８０；９０；１００；１１０）は、タバコ関連物品を収容し、前記タバコ関連物品は、紙巻きタバコ、シガリロ、葉巻、タバコ含有ロッド、無煙タバコ、擬似喫煙具、非燃焼型タバコ吸入器、およびアロマ容器の中から選択される
ことを特徴とする請求項１から請求項３５のいずれか一項に記載のパッケージ。
【発明の詳細な説明】
【技術分野】
【０００１】
本発明は、例えば、紙巻きタバコやシガリロ等のタバコ関連物品用パッケージに関する。
【背景技術】
【０００２】
従来のタバコ関連物品用パッケージは、前壁と、後壁と、前壁及び後壁を接続する互いに対向する二つの側壁並びに底壁とを有するシェルを備える。シェルの上面は、蓋で閉じられる。蓋は、後壁または一方の側壁に設けられるヒンジ・ラインを中心に旋回もしくは回転することで開く。通常、このようなパッケージを開閉するには、使用者は、両手を使わなくてはならない。
【０００３】
特許文献１には、外側シェルと内側シェルとを備えた紙巻きタバコのパッケージが開示されている。内側シェルは、紙巻きタバコを収容し、外側シェルの前壁にあるスロット内を案内される作動ノブによって外側シェル内を上下に移動可能である。外側シェルの上面は、二つの蓋によって閉じられる。これらの蓋は、内側シェルを上方に移動させると、自動的に開く。このパッケージは、片手で操作できる。しかし、蓋を作動させる手段は、複雑であり高価となりがちである。
【０００４】
特許文献２には、内側シェルが外側シェルの内部をスライド可能な紙巻きタバコ用スライドボックスが記載されている。蓋がフレキシブル・コネクタを介して内側シェルの上端に接続しており、このフレキシブル・コネクタは、内側シェルを上方向に摺動させると、外側シェルの外へ移動し、蓋を係止解除する。このパッケージは、片手で操作できるが、蓋が必ずしも自動的には開かず、蓋を開けるためにはパッケージを傾ける必要がある可能性があるため、不便となりうる。
【０００５】
特許文献３には、底のない外側シェルと内側シェルとを備えるプッシュ・パックが開示されている。内側シェルを上方向に移動させると、蓋が自動的に開く。しかし、内側シェルを移動させるためには、使用者は、内側シェルを底面から押し上げなくてはならず、片手操作を大いに妨げることとなる。
【０００６】
特許文献４には、外側ボックスと内側ボックスとを含むタバコ物品のハード・パッケージが記載されている。内側ボックスは、ある種の昇降部に案内され上下移動する。この昇降部は、内側ボックスを長手方向に囲繞し、外側ボックスの壁に固定される可撓性部材からなり、可撓性部材が固定される壁とは反対側において、可撓性部材を外側ボックスの開口部の中でシフトさせて上方または下方にスライドさせることにより、昇降部が作動する。蓋は、可撓性部材の一部である。このパッケージは、片手での操作を可能とするが、設計が幾分複雑であり高価となりがちである。
【先行技術文献】
【特許文献】
【０００７】
【特許文献１】仏国特許第１０８１６４９号明細書
【特許文献２】米国特許第２９２９５４２号明細書
【特許文献３】米国特許第４２４０５４８号明細書
【特許文献４】欧州特許第１５９０２５１号明細書
【発明の概要】
【発明が解決しようとする課題】
【０００８】
本発明は、片手によって便利に操作可能で、魅力的で廉価なタバコ関連物品用パッケージを提供することを目的とする。
【課題を解決するための手段】
【０００９】
この問題は、請求項１の特徴を有するタバコ関連物品用パッケージによって解決される。本発明の有利な形態は、その従属項によって得られる。
【発明の効果】
【００１０】
本発明に係るパッケージは、非常に便利に取り扱える。使用者が、一方の手で蓋を開ける間、もう一方の手でパッケージを持たなければならない従来のパッケージに比べ、本発明のパッケージは、片手のみで取り扱い、操作できる。使用者は、例えば、外側シェルの後壁が掌に対向するように片手でパッケージを持つことができ、親指を使って切欠きから内側シェルを掴み、軽く押して、親指をそれぞれ蓋の方向あるいは蓋の反対方向へ移動させることによって、内側シェルをシフトできる。コネクタによって蓋を自動的に開け閉めできる。さらに、本発明のパッケージは、魅力的なデザインを持つと共に、廉価で製造できる。
【００１１】
本発明のパッケージは、片手で使用できるので、例えば、運転中、コンピュータ操作中、電話中等や、一般的に使用者が片手しか使えない状況でタバコ関連物品を取り出したい場合等、様々な状況で有利である。パッケージは、使用者の手に収まりが良く、片手での使用を手早く行なえ便利である。
【図面の簡単な説明】
【００１２】
【図１】図１（ａ）〜（ｅ）は、本発明に係るタバコ関連物品用パッケージの第一実施例を示す。詳細には、図１（ａ）は、蓋が半開きの状態のパッケージの等角図であり、図１（ｂ）は、蓋が全開で、パッケージの内側シェルが前進位置へ移動した状態のパッケージの等角図であり、図１（ｃ）は、蓋が閉まった状態のパッケージの側面図であり、図１（ｄ）は、図１（ｂ）の状態のパッケージの側面図であり、図１（ｅ）は、長手軸方向中央を含む面を通る、パッケージの長手方向断面図である。
【図２】図２（ａ）は、図１のパッケージの外側シェルのブランクの平面図であり、図２（ｂ）は、図１のパッケージの内側シェルのブランクの平面図である。
【図３】図３（ａ）〜（ｄ）は、本発明に係るタバコ関連物品用パッケージの第二実施例を示す。詳細には、図３（ａ）は、蓋が半開きの状態のパッケージの等角図であり、図３（ｂ）は、蓋が全開で、パッケージの内側シェルが前進位置へ移動した状態のパッケージの等角図であり、図３（ｃ）は、パッケージの底面図であり、図３（ｄ）は、図３（ｂ）の状態のパッケージの側面図である。
【図４】図４（ａ）は、図３のパッケージの外側シェルのブランクの平面図であり、図４（ｂ）は、図３のパッケージの内側シェルのブランクの平面図である。
【図５】図５（ａ），（ｂ）は、本発明に係るパッケージの第三実施例の等角図であり、このパッケージは、二つの束を含む。詳細には、図５（ａ）は、蓋が半開きの状態を示し、図５（ｂ）は、パッケージの内側シェルが前進位置にあり、蓋が全開の状態を示す。
【図６】図６（ａ），（ｂ）は、本発明に係るパッケージの第四実施例の等角図である。詳細には、図６（ａ）は、二つに分かれた蓋が半開きの状態を示し、図６（ｂ）は、パッケージの二つの内側シェルが前進位置にあり、二つに分かれた蓋が全開の状態を示す。
【図７】図７（ａ）〜（ｃ）は、本発明に係るタバコ関連物品用パッケージの第五実施例を示す。詳細には、図７（ａ）は、蓋が半開きの状態のパッケージの等角図であり、図７（ｂ）は、蓋が全開で、パッケージの内側シェルが前進位置へ移動した状態のパッケージの等角図であり、図７（ｃ）は、アクチュエータの機能を説明する、パッケージの外側シェルと内側シェルの各部を通る長手方向断面図である。
【発明を実施するための形態】
【００１３】
本発明に係るパッケージは、タバコ関連物品を収容するように設計される。このパッケージは、前壁と、後壁と、前壁及び後壁を接続する互いに対向する二つの側壁並びに任意の底壁と、上面とを有する外側シェルを備える。蓋は、閉状態で外側シェルの上面を閉じるように構成される。蓋は、ヒンジ・ラインにおいて外側シェルの後壁または一方の側壁に旋回可能に接続され、閉状態から開状態へ移行するように上記ヒンジ・ラインを中心に旋回可能である。パッケージは、複数のタバコ関連物品を収容するように構成された内側シェルをさらに備える。内側シェルは、外側シェル内にシフト可能に取り付けられ、退避位置から、喫煙物品へのアクセスを可能とする前進位置へ移動可能である。
【００１４】
外側シェルの、前壁、後壁、または二つの側壁から選択される少なくとも一つの壁に、内側シェルの一部を露出させる切欠き（開口）が設けられる。使用者は、この切欠きを通じて、内側シェルを移動させるための、つまり、内側シェルを退避から前進位置へシフトさせる、または、前進から退避位置へ戻すための力を内側シェルに伝達できる。
【００１５】
内側シェルの一部分と蓋との間にコネクタが設けられる。コネクタは、ヒンジ・ラインからの距離が、ヒンジ・ラインに垂直の方向における蓋の寸法よりも短い位置で蓋と係合し、内側シェルが前進位置に移動すると、蓋を開状態まで押し、内側シェルが退避位置に移動すると、蓋を閉状態まで引くため、使用者が内側シェルを移動させると、蓋が対応して自動的に開閉する。
【００１６】
内側シェルを移動させる力を内側シェルに伝達可能とする外側シェルの切欠きは、内側シェルを移動させる力を内側シェルに加えることを可能とするように構成されうる。このように、使用者は、親指で、切欠きを通じて内側シェルを掴み、少し押して、親指をそれぞれ蓋の方向あるいは蓋と反対方向へ移動させることによって内側シェルをシフトできる。切欠きは、例えば、前壁と一方の側壁との間の角部等、二つ以上の壁に亘って延びてもよい。さらに、切欠きを複数設けることも考えられる。また、外側シェルの底壁が、切欠きの一部または追加の切欠きを有することも可能である。代替実施形態では、内側シェルを移動させるためのアクチュエータが内側シェルに設けられて切欠きから突出する。
【００１７】
本発明に係るパッケージは、非常に便利に取り扱える。使用者が、一方の手で蓋を開ける間、もう一方の手でパッケージを持たなければならない従来のパッケージに比べ、本発明のパッケージは、片手のみで取り扱い、操作できる。使用者は、例えば、外側シェルの後壁が掌に対向するように片手でパッケージを持つことができ、親指を使って切欠きから内側シェルを掴み、軽く押して、親指をそれぞれ蓋の方向あるいは蓋の反対方向へ移動させることによって（あるいは、上述のアクチュエータを使って）、内側シェルをシフトできる。コネクタによって蓋を自動的に開け閉めできる。さらに、本発明のパッケージは、魅力的なデザインを持つと共に、廉価で製造できる。
【００１８】
本発明のパッケージは、片手で使用できるので、例えば、運転中、コンピュータ操作中、電話中等や、一般的に使用者が片手しか使えない状況でタバコ関連物品を取り出したい場合等、様々な状況で有利である。パッケージは、使用者の手に収まりが良く、片手での使用を手早く行なえ便利である。
【００１９】
コネクタは、少なくとも一つのヒンジを含むヒンジ・コネクタとして設計可能で、例えば、蓋または内側シェルに旋回可能に接続された一般的に平坦なコネクタである。例えば、ヒンジ・コネクタは、（例えば、ワイヤとして設計される）金属やプラスチックで形成することもできる。しかし、コネクタが一つまたは複数のヒンジを含まないことも考えられ、例えば、コネクタが弾性材料で作られて、旋回不可能に蓋と内側シェルに固定され、蓋が開け閉めされると、コネクタが弾性的に曲がるようになっていてもよい。
【００２０】
内側シェルは、退避位置において、外側シェルの内部に収納可能である。しかし、外側シェルは、退避位置の内側シェルを外側シェル及び閉まった状態の蓋で完全に包み込まないような、より包括的ではない構造のデザインでもよい。この後者のデザインの例において、蓋が閉じた状態で、内側シェルの一部が外側シェルの下端から突出する。
【００２１】
本発明の有利な実施形態では、蓋は、上端と、後端と、二つの側端と、底面とを有する上壁を備える。蓋が閉状態のとき、外側シェルの上面は、蓋の上壁によって閉じられ、蓋のヒンジ・ラインは、上壁の後端または一方の側端に位置している。蓋のヒンジ・ラインは、原則的に、（閉状態の）蓋の上壁と同じ高さにあるため、コネクタをシンプルかつ確実に設計できる。さらに、この寸法および技術的な特徴によって魅力的なデザイン要素が提供可能となる。
【００２２】
コネクタの有利な設計としては、内側シェルは、上端を有する後壁または側壁を備え、コネクタは、この上端から延び、この上端またはこの上端の周辺領域に第一ヒンジ・ラインを、そして、上壁の底面に第二ヒンジ・ラインを含む。コネクタの第一ヒンジ・ラインと第二ヒンジ・ラインとの間の距離は、蓋のヒンジ・ラインとコネクタの第二ヒンジ・ラインとの間の距離より、例えば、０．４ｍｍ〜１．８ｍｍの範囲内で、または、約０．７ｍｍだけ大きいことが好ましい。以下に、より詳細に記述される実施例により、この条件によって、内側シェルと蓋とをコンパクト且つ確実にスムーズに接続できることが明らかとなる。
【００２３】
蓋の確実な動作のための寸法的なその他の有利な条件としては、蓋が閉状態のときの、コネクタの第一ヒンジ・ラインと蓋のヒンジ・ラインとの間の距離と、蓋のヒンジ・ラインとコネクタの第二ヒンジ・ラインとの間の距離との比が、０．５〜１．０の範囲内で、好ましくは、０．７０〜０．８５の範囲内、例えば、約０．７８である。この条件についても、以下に、より詳細に記述する実施例により明らかとなる。
【００２４】
蓋のヒンジ・ラインが、上壁の後端または一方の側端に位置する場合、斜角端壁は、少なくとも、蓋のヒンジ・ラインとは反対側の上壁端から延びていてもよい。斜角端壁は、蓋の閉動作の際に外側シェルの壁に触れないよう、また、蓋が閉状態のときに外側シェル内に嵌合するように、傾斜または曲面状に形成される。これによって、外側シェルの上面スペース内に蓋を案内して閉動作を容易にし、閉状態でパッケージを安定させ、パッケージの中身の保護を高める。斜角端壁は、蓋のヒンジ・ラインを含む端とは異なるその他の上壁端から延びてもよい。このように設計された蓋は、閉状態で基本的に平坦に見え、パッケージに人目を惹く魅力的な外観を与える。
【００２５】
有利なバージョンでは、斜角端壁は、蓋のブランクを備える外側シェルのブランクから折り返される。
【００２６】
斜角端壁は、異なる断面形状を有してもよい。三角形状は、ブランクから容易に折り返すことができ、安定性も高いので好ましい。例えば、四角形や多角形、少なくとも一つの曲面を含む形状等、その他の形状も考えられる。
【００２７】
本発明に係るパッケージの他の実施形態では、少なくとも、上壁の、蓋のヒンジ・ラインとは反対側の端から端壁が延びる。この端壁は、蓋の上壁に対して通常垂直に延び、蓋が閉状態のときに見える。よって、これは、前述の斜角端壁とは異なり、より従来的な外観をパッケージに与える。
【００２８】
蓋が端壁を備え、蓋のヒンジ・ラインが、蓋の上壁ではなく、この端壁に配置されることも考えられる。
【００２９】
パッケージの内側シェルは、内側シェルが前進位置にあるときの内側シェルの中身へのアクセスを容易にするフリーアクセス領域を提供する前壁を備えうる。このフリーアクセス領域は、例えば、前壁から切り欠かれた切欠きとして、または、低くなった上端を有する前壁の一部分によって、または、概して低い上端を有する前壁によって、設計されうる。内側シェルが退避位置にあるとき、内側シェルのフリーアクセス領域は、外側シェルの切欠きと重ならない、すなわち、パッケージの閉状態においてフリーアクセス領域が目に見えないことが好ましい。これにより、パッケージの外観が向上する。
【００３０】
通常、内側シェルは、前壁と、後壁と、前壁及び後壁を接続する互いに対向する二つの側壁並びに底壁を備えうる。しかし、内側シェルは、上記の壁が全て壁パネルとして設計されない、より軽量の構造を有することも考えられる。軽量の構造では、パッケージの中身を追加的に支持するためのインナ・カバーや束カバーを使用可能である。
【００３１】
本発明の有利な実施形態では、内側シェルの移動を目的とした使用者の、切欠きを通じた前壁の接触に対する反作用性を強めるために、内側シェルの前壁が補強構造を有する。このような構造は、二層または三層の厚紙から形成でき、例えば、内側シェルのブランクから折り返される厚紙パネルを使用する。内側シェルの残りの部分に別の補強パネルを取り付けることも考えられる。
【００３２】
この補強構造に代えて、または、この補強構造に追加して、内側シェルの中に補強インサートを挿入することもできる。この補強インサートは、好ましくは、射出成形によって作られる、例えば、プラスチック容器として形成可能である。このような設計でも、例えば、厚紙のブランクから作られてコネクタを介して蓋に接続される内側シェルが使用される。
【００３３】
このような厚紙の内側シェルを使用せず、所望の剛性を提供するプラスチック容器として内側シェルを設計してもよい。この場合、コネクタの少なくとも一部をプラスチック容器の一部として形成可能だが、パッケージの組み立て時に、（例えば、外側シェルのブランクの一部としての）蓋のブランクのみから形成されたコネクタをプラスチック容器に取り付けることも考えられる。
【００３４】
外側シェルの切欠きは、外側シェルの前壁に設けられることが好ましい。この切欠きの位置は、パッケージの便利な使用を可能にする。しかし、切欠きを他の壁や二つの壁に亘って延びる領域に配置することや、複数の切欠きを設けることも可能である。
【００３５】
外側シェルの切欠きは、外側シェルの前壁の、中央領域ではなく、端の領域に位置してもよい。これにより、内側シェルに上述のフリーアクセス領域が設けられている場合において、退避位置にある内側シェルのフリーアクセス領域と重ならない位置に外側シェルの切欠きを設けることができるので、特に有利である。さらに、この設計では、外側シェルの前壁が、例えば、警告表示に使用可能な連続した領域を提供する。
【００３６】
外側シェルの切欠きは、外側シェルのブランクから形成可能で、切欠き領域のブランク材料のうち少なくとも一部が外側シェルの内面に折り返される。このようにすると、切欠きの縁は、尖ったり凸凹だったりせず、対応する折り線によって定まる。これらの折り線は、滑らかな場合が多く、切欠きの周りの壁領域に厚みを与える。ブランク材料が切欠きの上端において折り返されないのが有利となりうる。なぜなら、この端は、使用者が通常通りにパッケージを持つときにあまり目に入らず、この切欠きの折り返されるフラップは、パッケージのスムーズな組み立てを妨げる可能性があるからである。
【００３７】
本発明の有利な実施形態では、内側シェルは、外側シェルの切欠きに対向する位置にグリップ性向上面を備える。このようなグリップ性向上面は、例えば、内側シェルの壁材料に組み込まれるリレーフ構造、または、内側シェルの当該領域に接着されるステッカによって設けられるリレーフ構造によって提供されうる。その他には、例えば、外側の層が一連の切欠きを備えて、外側層に折り返される内側層が滑らかな内側シェルの二層壁構造として切欠き構造を備えることができる。その他の実施形態としては、内側シェルの当該領域に接着されるステッカ、または、内側シェルの壁や壁領域に適用される高摩擦コーティングもしくはゴム状コーティングを含む。グリップ性向上面は、例えば、使用者の親指に対する摩擦力を高めるので、パッケージを操作し易くする。
【００３８】
上述のように、内側シェルに取り付けられて切欠きから突出する、内側シェルを移動させるためのアクチュエータを備えるパッケージの有利な実施形態において、内側シェルは、退避位置において係止可能であり、アクチュエータがこの係止を解除できる。任意に、内側シェルは、ばね装置によって前進位置の方向へ付勢される。この場合、切欠きは、内側シェルの移動方向に対して平行に延びるスロットと、スロットの下端に設けられる幅広領域とを備え、アクチュエータの一部分は、切欠きの幅広領域内に係止可能で、アクチュエータを押すことによって係止が解除可能である。このようなアクチュエータは、使用者にとって使用しやすい。ばね装置が設けられる場合、例えば、アクチュエータを押すだけで、簡単にパッケージを開けることができる。
【００３９】
外側シェルは、箱型でもよいし、曲線状の縁を備えてもよい。前壁と両側壁との間の長手方向の縁は、それぞれ曲線状であることが好ましい。外側シェルは、他の形状として、六角形や八角形の断面形状を有する。側壁または前壁が、パッケージの長手軸に対して平行に延びる折り線に沿ってそれぞれ側壁の残りの部分または前壁の残りの部分を折り返したサイドパネルを備える。このような形状により、大きく製造コストが増すことなく、パッケージは、魅力的な外観となる。内側シェルの形状も合わせて調整できる。
【００４０】
本発明の有利な実施形態では、パッケージの外側シェルおよび／または内側シェルは、それぞれのブランクから折り返される。それぞれのブランクは、重量が１８０ｇ／ｍ2〜２９０ｇ／ｍ2の範囲の厚紙で作られる（厚紙という表現は、ラミネート加工された厚紙やコーティング加工された厚紙を含む。）。これは、既知の技術で行われる。厚紙のブランクは、様々な形態で設計可能である。しかし、パッケージの各部分としては、その他の材料も考えられ、例えば、前述の範囲外の重量の厚紙や、積層材やプラスチック材料等がある。
【００４１】
より一般的には、パッケージは、例えば、厚紙、ラミネート加工された厚紙、コーティング加工された厚紙、プラスチック材料、金属、アルミニウム、および／または（一般的に）厚さが５０μｍ〜２０００μｍの範囲の平坦な材料を備えうる。厚紙は、例えば、１８０ｇ／ｍ2〜２９０ｇ／ｍ2の範囲の、単位面積当たりの重量（質量）によって指定しうる。また、厚紙は、例えば、２５０μｍ〜５００μｍの厚さでも指定しうる（ＩＳＯ５３４に準拠して計測）。
【００４２】
剛性により厚紙を指定することもでき、その範囲は、ＩＳＯ２４９３：１９９２（Ｅ）に準拠して計測した場合、５ｍＮ〜２５ｍＮとなりうる。要するに、ＩＳＯ２４９３には、紙や厚紙の曲がりに対する抵抗の決定について記述がある。その結果は、カンチレバーに取り付けられた３８ｍｍ幅の試験片を曲げ長さ５０ｍｍで１５°屈曲させたときの、試験片の自由端側に垂直に働く力として表されている。
【００４３】
コネクタの設計には、多数の選択肢がある。例えば、外側シェルのブランクの一部分と内側シェルのブランクの一部分とを折り返して、パッケージの組み立て時に互いを接着することもできるし、外側シェルのブランクの一部分を折り返して直接内側シェルに接着してもよい。もしくは、内側シェルのブランクの一部分を折り返して、好ましくは、外側シェルのブランクの一部として形成される蓋に接着することもできる。コネクタの形状に関しては、蓋のヒンジ・ラインに沿う方向における寸法は、比較的狭くてもいいし、この方向で測られる最長または略最長の幅を有してもよい。一般的に、幅が広いと、構造の剛性が増す。例えば、台形状のコネクタは、強度を高めるために必要な大きな延長部を提供する一方で、パッケージの組み立てを容易にしうる傾斜端も提供する。
【００４４】
その他の実施形態では、コネクタは、内側シェルと蓋とに接続される金属部品として、内側シェルと蓋とに接続されるワイヤとして、または、内側シェルと蓋とに接続されるプラスチック部品として、設けられる。平坦で柔軟な金属部品や平坦で柔軟なプラスチック部品として設計されたコネクタは、例えば、蓋が開閉するときにコネクタが弾性的に曲がるように、コネクタがパッケージの蓋と内側シェルとに旋回不可能に固定される場合等、コネクタが一つまたは複数のヒンジを備えない場合に有用である。
【００４５】
パッケージは、さらに、蓋が閉状態から開状態へ、および／または、開状態から閉状態へ旋回するときに作動するように構成された音発生メカニズムを備えうる。音発生メカニズムは、例えば、蓋に配置されて外側シェルに配置される対応部分と相互作用するタブ、および／または、外側シェルに配置されて蓋に配置される対応部分と相互作用するタブを備えうる。蓋の作動中に、このタブが対応部分に接触することによって音が鳴り、魅力的な効果を奏しうる。
【００４６】
本発明に係るパッケージは、タバコ関連物品を単一分量または一束のみ収容する内側シェルを一つ備える設計に限定されない。本発明は、二つ以上の束を収容する内側シェルを一つ有するパッケージも含み、さらには、二つ以上の内側シェルを有するパッケージも含む。パッケージは、例えば、並設される少なくとも二つの内側シェルを備えうる。この場合、外側シェルの後壁に蓋が旋回可能に接続されることが好ましい。蓋は、並設されて外側シェルの後壁に旋回可能に接続する少なくとも二つの別個の部分から形成することができ、蓋の別個の部分は、それぞれ、内側シェルの一方と連携している。外側シェルの前壁には、内側シェルのそれぞれの一部を露出させ、各内側シェルをそれぞれ移動させる力を内側シェルに伝達または加え、コネクタまたはヒンジ・コネクタを介して蓋の各部分を作動可能とするように構成されている少なくとも一つの切欠きが設けられうる。この少なくとも一つの切欠きは、全ての内側シェルにアクセスできる領域に設けられる一つの切欠きでもよいし、各内側シェルに一つずつ、少なくとも二つの切欠きを含んでもよい。
【００４７】
本発明に係るパッケージには、例えば、紙巻きタバコ、シガリロ、葉巻、タバコ含有ロッド、無煙タバコ、擬似喫煙具（電子タバコ等）、非燃焼型タバコ吸入器、アロマ容器等の多種なタバコ関連物品を入れることができる。
【００４８】
パッケージは、タバコ関連物品を入れた状態でパッケージを初めて開ける前に少なくとも部分的に取り除かれる、例えば、セロファンや透明な（ポリプロピレン等の）プラスチックカバーで包まれていてもよい。このようなカバーによってタバコ関連物品の香りと鮮度が保たれるとともに不正開封の跡がすぐ分かるようになる。
【００４９】
タバコ関連物品用パッケージの別の実施形態では、外側シェルが、その前壁、後壁、および側壁に切欠きを有さない。この実施形態では、外側シェルは、その底壁に切欠きを備える（底がない場合も含む）。この実施形態のその他は、上述のように構成されうる。使用者は、内側シェルを前進させるには（外側シェルの底の開口部から）内側シェルの底を押し、内側シェルを退避させるには蓋を手動で閉める必要がある。
【実施例】
【００５０】
以下に、実施例によって本発明をさらに説明する。
【００５１】
図１は、タバコ関連物品用パッケージ１の第一実施例を説明する。
【００５２】
パッケージ１は、外側シェル２と、外側シェル２を閉じるよう構成された蓋４と、外側シェル２の中で退避位置（図１（ａ）参照）から前進位置（図１（ｂ）参照）へ移動可能な内側シェル６とを備える。
【００５３】
内側シェル６は、例えば、紙巻きタバコの束といった、タバコ関連物品の束８を収容する。束８は、例えば、アルミホイルやアルミニウム・ラミネート紙で複数の紙巻きタバコを包む等、従来の方法で提供される。図１（ｂ）に示すパッケージ１の状態では、紙巻きタバコ一本を取り出すために束８を簡単に開けることができる。
【００５４】
外側シェル２は、前壁１０と、後壁１２と、２つの側壁１４と、底壁１６とを備える。本実施例では、上面１８は、自由断面領域を提供する。
【００５５】
前壁１０は、切欠き２０、すなわち、前壁１０を完全に貫通する開口部を備える。本実施例では、切欠き２０は、前壁１０のおおよそ略領域に位置する。
【００５６】
蓋４は、後壁１２の上端にヒンジ・ライン２２を介して接続されており、閉状態（図１（ｃ）参照）から全開状態（図１（ｂ），図１（ｄ），図１（ｅ）参照）へ旋回可能になっている。本実施例では、蓋４は、前端２６及び後端２８（図１（ｄ）参照）並びに二つの側端３０（図１（ａ）参照）を有する上壁２４を備える。蓋４の底面は、符号３２（図１（ｅ）参照）で示される。ヒンジ・ライン２２は、蓋４の後端２８に沿って延び、外側シェルが形成されるブランクの折り線から設計される。
【００５７】
蓋４は、さらに、蓋４の上壁２４の前端２６から延びる前端壁３４と、二つの側端３０からそれぞれ延びる二つの側端壁３６とを備える。図１（ａ），（ｂ），（ｄ）および（ｅ）に示すように、端壁３４，３６は、「斜角」形状を有している。つまり、端壁３４，３６は、蓋４を閉じたときに外側シェル２の内部スペースに入り込むように、それぞれ前端２６および側端３０から幾分内側に傾斜して延びている。したがって、蓋４が閉まっている状態では、端壁３４，３６は見えない（図１（ｃ）参照）。言い換えると、蓋４が閉じているときは、上壁２４のみが見えるので、パッケージ１に魅力的なデザインを与える。
【００５８】
蓋４の閉状態では、端壁３４，３６は、外側シェル２の内部に位置してパッケージ１を安定させる。本実施例では、端壁３４，３６は、三角断面形状を有し（図１（ｅ）参照）、これにより、端壁３４，３６は、概して高い強度を持つ。さらに、端壁３４，３６の斜角または傾斜形状により、蓋４が閉め易くなる。図１による本実施例の変形例では、端壁の断面形状は、三角形ではなく、例えば、多少丸みを帯びる等、異なった形状を有する。
【００５９】
内側シェル６は、前壁４０および後壁４２（図１（ｅ）参照）と、二つの側壁４４（図１（ｄ）参照）と、底壁４６（図１（ｅ）参照）とを備える。前壁４０の上端と、側壁４４の上端の一部とは、後壁４２の上端より下に配置される（図１（ｂ）および図１（ｄ）参照）。これにより、束８のタバコ関連物品の取り出しを容易にするフリーアクセス領域４８が提供される。
【００６０】
内側シェル６の前壁４０の、外側シェル２の切欠き２０に対する領域は、例えば、ゴム状の素材の掴みやすい高摩擦性の材料でコーティングされる。
【００６１】
内側シェル６は、ヒンジ・コネクタ５０によって蓋４に接続される。図１（ｂ）に示すように、コネクタ５０は、パッケージ１の幅の大部分に亘って延びる。図１（ｅ）は、コネクタ５０の詳細を示し、その動作を説明する。
【００６２】
本実施例では、コネクタ５０は、第一ヒンジ・ライン５２において、内側シェル６の後壁４２の上端から延びる。コネクタ５０は、第二ヒンジ・ライン５４において、蓋４の上壁２４の底面３２に取り付けられる。コネクタ５０は、ヒンジ・ライン５２，５４を中心に旋回できる。
【００６３】
さらに、本実施例では、第一ヒンジ・ライン５２と第二ヒンジ・ライン５４との間の距離が、第二ヒンジ・ライン５４と蓋４のヒンジ・ライン２２との距離よりも、例えば、約０．７ｍｍ大きい。
【００６４】
蓋４が閉状態のとき（図１（ｃ）参照）、使用者は、パッケージ１を掌に置き、外側シェル２の切欠き２０から内側シェル６の前壁４０を親指で触れ、親指を上方に移動できる。このように、使用者は、内側シェル６が退避位置から完全に前進位置になるまで内側シェル６を上方に移動させる。この内側シェル６が移動する際、コネクタ５０は、蓋４をヒンジ・ライン２２を中心に旋回させることにより、蓋４を開ける。この移動の間、ヒンジ・ライン２２，５２，５４は、図１（ｅ）の紙面上で三角形を形成するので、蓋４の旋回移動が明確に定められる。
【００６５】
本実施例において、まず、蓋４の閉状態では、コネクタ５０の第一ヒンジ・ライン５２と蓋４のヒンジ・ライン２２との間の距離と、蓋４のヒンジ・ライン２２とコネクタ５０の第二ヒンジ・ライン５４との間の距離との比は、約０．７８である。これが意味するのは、蓋４が開移動の初期段階で十分なトルクを持つ一方で、内側シェル６の上端、つまり、第一ヒンジ・ライン５２は、ヒンジ・ライン２２に対し大幅に下方には位置していない。つまり、このコネクタの仕組みでは、内側シェル６が退避位置にあるときの内側シェル６の上方のスペースがほとんど無駄にならない。
【００６６】
使用者が親指を下方に移動させると、内側シェル６は、退避位置へと戻され、コネクタ５０は、蓋４を下方へ閉状態へと引く。
【００６７】
上述の値以外の数値も設定できる。当業者は、外側シェル２と内側シェル６の実際の寸法を基に、コネクタ５０の寸法を最適化できる。
【００６８】
図２は、外側シェル２のブランク６０（図２（ａ）参照）及び内側シェル６のブランク７０（図２（ｂ）参照）を示す。本実施例において、両ブランクは、例えば、１８０ｇ／ｍ2〜２９０ｇ／ｍ2の範囲の重さの、通常の厚さの厚紙で形成される。ブランクとしては、例えば、ラミネート加工された厚紙やプラスチック材料等他の材料も考えられる。
【００６９】
図２（ａ）において、外側シェル２の前壁１０、後壁１２、側壁１４、および底壁１６がそれぞれの符号によって示される。さらに、各接着タブは、符号６２で、各切り取り線は、符号６３で示される。符号で示されない線は、通常、折り線である。斜線の箇所は、完全に切り欠かれる。
【００７０】
切欠き２０の領域には三つのタブ６４が設けられ、切欠き２０の縁が滑らかで外観が良好となるように、パッケージの組み立ての際に折り返されて前壁１０の内側に接着される。
【００７１】
符号６５は、警告表示用の領域を示す。この領域の大きさは、国内規制により定められている。ブランク６０では、切欠き２０の下に領域６５が位置する。
【００７２】
外側シェル２の組み立て時、外側シェル２を補強するため、また、前壁１０の上端の外観を良くするため、タブ６４と同様に補強パネル６６が折り返される。
【００７３】
また、図２（ａ）は、上壁２４及び端壁３４，３６を含む蓋４がどのようにブランク６０から形成されるかを説明する。端壁３４，３６は、それぞれの折れ線に沿って折り返され、対応する接着タブ６２によって上壁２４の下面に固定される。ヒンジ・コネクタ５０の第一部分６８が、前端壁３４の接着タブ６２に組み込まれている。
【００７４】
ブランク６０から外側シェル２を組み立てる個々のステップは、当業者には明らかである。
【００７５】
同様に、図２（ｂ）に示す内側シェル６のブランク７０は、内側シェル６の前壁４０、後壁４２、両側壁４４および底壁４６を備え、さらに、接着タブ７２をいくつか備える。符号７３は、切り取り線を示す。符号７４の部分は、補強部であり、折り返されて後壁４２に接着すると、後壁４２を安定させるとともに後壁４２の上端の外観を良好にする。
【００７６】
補強パネル７６は、内側シェル６の前壁４０を安定させるため、前壁４０の内面に折り返される（そして、好ましくは、接着される）。使用者が切欠き２０の中に親指を当てる際、内側シェル６の前壁４０にある程度力が加わる。内側シェル６の中の束８が完全に揃っている又は略完全に揃っていれば、内側シェル６の前壁４０は、この圧力に大きく屈することはない。しかしながら、パッケージ１の使用に従い、束８の残量は、徐々に減り、内側シェル６を安定させなくなる。このため、強固な前壁４０が有利である。補強パネル７６に加えて、他の補強パネルも追加使用できる。この追加の補強パネルは、内側シェル６のブランクの一部とすることができる。内側シェル６の組み立て時に、例えば、より剛性の高い材料で形成される別個の補強パネルを取り付けることも考えうる。さらに、内側シェルを、例えば、射出成形された十分な剛性を有するプラスチックの材料で形成することもできる。
【００７７】
図２（ｂ）は、三つの切り取り線７３に沿って補強部７４から切り欠かれる、コネクタ５０の第二部分７８を示す。
【００７８】
ブランク７０から内側シェル６を組み立てる方法についても、当業者には明らかである。
【００７９】
外側シェル２及び内側シェル６を、それぞれブランク６０，７０から組み立てた後は、内側シェル６を外側シェル２に上面１８から挿入し、コネクタ５０の第一部分６８及び第二部分７８が、例えば、図１（ａ）に示すような蓋４の位置で互いに接着される。
【００８０】
コネクタとしては、例えば、外側シェルのブランクと一体になっているコネクタや、内側シェルのブランクと一体になっているコネクタ等、異なるデザインも考えられうる。さらに、コネクタの形状も図２に示すものと異なってもよく、例えば、パッケージ１のコネクタ５０よりもさらにパッケージを安定させるような幅の広いコネクタも可能である。
【００８１】
図３は、符号８０で示される、タバコ関連物品用パッケージの別の実施例を説明する。
【００８２】
パッケージ８０は、上述したパッケージ１に類似している。このため、パッケージ８０の大部分において、パッケージ１と同一の符号が使用される。蓋４を開く仕組みを含め、これらの部分についての説明は省略する。
【００８３】
パッケージ８０とパッケージ１との主な相違点は、その外形である。パッケージ８０では、外側シェル２が八角形の断面形状を有する（特に、図３（ｃ）の底面図を参照）。この八角形形状は、折り線８３に沿って前壁１０及び後壁１２からそれぞれ折り返されるサイドパネル８２によって形成される。定義上、サイドパネル８２は、それぞれ前壁１０及び後壁１２の一部として見なされるが、側壁１４の一部として見なすこともできる。
【００８４】
図４（ａ）にパッケージ８０の外側シェルのブランク８４を示す。パッケージ８０では、警告表示領域８５が前壁の切欠きの上方に位置する。一般的に、外側シェルの前壁の切欠きは、内側シェルが退避位置にある場合において、内側シェルのフリーアクセス領域と重なるべきではない。
【００８５】
パッケージ８０の内側シェルのブランク８６を図４（ｂ）に示す。内側シェルの形状は、外側シェルの形状に対応する。つまり、内側シェルも八角形の断面形状を有する。図４（ｂ）において、対応するサイドパネル及び折り線は、それぞれ符号８８と８９で示される。
【００８６】
その他は、ブランク６０，７０を使用したパッケージ１の組み立てについて説明したのと同様に、パッケージ８０もブランク８４，８６から組み立てられる。
【００８７】
図５は、符号９０で示されるタバコ関連物品用パッケージの第三実施例を説明する。本実施例では、前壁に切欠き９３を備える外側シェル９２の上面が、旋回可能な蓋９４で閉じられる。内側シェル９６は、外側シェル９２の内部にシフト可能に取り付けられて退避位置から前進位置へ移動可能である。蓋９４は、コネクタによって内側シェル９６に接続される。
【００８８】
上述のように、使用者が、例えば、親指で切欠き９３の中を掴んで内側シェル９６を上方にスライドさせることによって内側シェル９６を移動させると、自動的に蓋９４が開く。ここまでは、パッケージ１とパッケージ９０とは非常に似ている。
【００８９】
しかし、パッケージ１と比べて、パッケージ９０は、幅が広く、内側シェル９６が紙巻きタバコ等のタバコ関連物品の二つの束９８，９９を収容できる。実際には、一つの束がまず消費され、もう片方は、新鮮さを保つために最初は閉じられている。その後、この片方の束が消費される。
【００９０】
図６は、タバコ関連物品用パッケージの第四実施例を示す。このパッケージは、符号１００で示される。
【００９１】
パッケージ１００は、その前壁に二つの切欠き１０３を有する外側シェル１０２を備える。外側シェル１０２の後壁の上端に旋回可能に接続される蓋は、第一部分１０４及び第二部分１０５の二つの部分により構成される。蓋の両部分１０４，１０５は、互いに独立している。
【００９２】
外側シェル１０２は、第一内側シェル１０６及び第二内側シェル１０７の二つの内側シェルを収納する。第一内側シェル１０６は、タバコ関連物品の束１０８を一つ収容し、第二内側シェル１０７も一つの束１０９を収容する。
【００９３】
蓋の第一部分１０４は、図１の実施例のコネクタ５０として設計されるコネクタによって第一内側シェル１０６に接続される。同様に、蓋の第二部分１０５は、対応するコネクタによって第二内側シェル１０７に接続される。よって、蓋のそれぞれの部分、すなわち、第一部分１０４及び第二部分１０５が接続される両内側シェル１０６，１０７は、互いに独立して移動可能である。言い換えると、パッケージ１００は、二つのパッケージ１が並設されて共通の外側シェル１０２を有するものと考えられる。
【００９４】
図７は、符号１１０で示される、タバコ関連物品用パッケージの第五実施例を説明する。
【００９５】
パッケージ１１０は、図１のパッケージ１と同様のデザインを有する。しかし、パッケージ１１０は、パッケージ１の切欠き２０のような大きな切欠きを有さない。
【００９６】
パッケージ１１０は、外側シェル１１２と、コネクタ１１５によって自動的に動作する蓋１１４と、退避位置から前進位置に移動可能な内側シェル１１６とを有する。蓋１１４が閉状態のとき、内側シェル１１６は、退避位置にある。図７（ａ）は、蓋１１４が半開きのときの中間の状態を示す。図７（ｂ）において、内側シェル１１６は、前進状態に移動しており、蓋１１４が全開している。内側シェル１１６は、図７（ａ）及び図７（ｂ）の図では、未開封の紙巻きタバコの束１１８を保持する。
【００９７】
外側シェル１１２は、前壁１２０を有し、この前壁１２０は、内側シェル１１６の移動方向に対して平行に伸びるスロット１２４の形状をした切欠き１２２と、スロット１２４の下端に設けられる実質円状の幅広領域１２６とを備える。
【００９８】
図７（ｃ）は、外側シェル１１２及び内側シェル１１６の各部を通る長手方向断面概略図を示す。内側シェル１１６は、アクチュエータ１３０が取り付けられる前壁１２８を有する。本実施例では、アクチュエータ１３０は、円柱対称性を有し、大径の底部１３２と小径の突出部１３４とを備え、プラスチック材料で形成される。底部１３２は、幅広領域１２６にぴったり嵌合し、底部１３２から延びる突出部１３４は、スロット１２４に沿ってスライド可能である。
【００９９】
内側シェル１１６が退避位置にあり、蓋１１４が閉じているとき、内側シェル１１６の本来の弾性作用によって、アクチュエータ１３０は、図７（ｃ）における左側に付勢されるため、アクチュエータ１３０の底部１３２は、幅広領域１２６にとどまる。この状態において、アクチュエータ１３０と、アクチュエータ１３０に接続される内側シェル１１６と、内側シェル１１６に接続される蓋１１４とは、底部１３２によって係止される。使用者が突出部１３４を押す、つまり、図７（ｃ）における右側に力を加えると、底部１３２は、幅広領域１２６から係止解除され、突出部１３４がスロット１２４内に入る。その後、使用者は、簡単に突出部１３４を上方向に移動させることができ、内側シェル１１６が前進し、蓋１１４が開く。図７（ａ）は、その中間の位置を示し、図７（ｂ）は、内側シェル１１６が完全に前進位置にある状態を示す。
【０１００】
パッケージ１１０を閉じるには、使用者は、底部１３２が切欠き１２２の幅広領域１２６内に係止されるまで突出部１３４を下方に移動させる。
【０１０１】
パッケージ１１０の変形例では、切欠き１２２がスロット１２４の上端にも幅広領域を備え、内側シェル１１６は、前進位置においてもアクチュエータ１３０によって係止される。
【０１０２】
パッケージ１１０の別の変形例では、外側シェル１１２の底と内側シェル１１６の底との間に設けられるばねによって内側シェル１１６が前進位置に付勢される。パッケージを開くには、使用者は、突出部１３４を押して底部１３２を幅広領域１２６から係止解除し、その直後に、内側シェル１１６がばねによって前進位置へと移動する。パッケージを閉じるには、使用者は、底部１３２が幅広領域１２６内に係止されるまでばねの力に逆らってアクチュエータ１３０を下方向にシフトさせる。
【符号の説明】
【０１０３】
１，８０，９０，１００，１１０  パッケージ
２，９２，１０２，１１２  外側シェル
４，９４，１０４，１０５，１１４  蓋
６，９６，１０６，１０７，１１６  内側シェル
１０，４０，１２０，１２８  前壁
１２，４２  後壁
１４，４４  側壁
１８  上面
２０，９３，１０３，１２２  切欠き
２２  ヒンジ・ライン
２４  上壁
２６  前端
２８  後端
３０  側端
３２  底面
３４  斜角端壁
４０，７６  補強構造
４６  底壁
４８  フリーアクセス領域
５０，１１５  コネクタ
５２  第一ヒンジ・ライン
５４  第二ヒンジ・ライン
６０，７０，８４，８６  ブランク
６４，６８，７８  ブランクの一部分
８２  サイドパネル
８３  折り線
１２４  スロット
１２６  幅広領域
１３０  アクチュエータ
１３２  アクチュエータの一部分
【図１】
0005528565.tif 000002
【図２】
0005528565.tif 000003
【図３】
0005528565.tif 000004
【図４】
0005528565.tif 000005
【図５】
0005528565.tif 000006
【図６】
0005528565.tif 000007
【図７】
0005528565.tif 000008